(57)【要約】ディスク管理情報の読み取りエラーによってデータ記録再生が実行できなくなる可能性を低減させた構成を実現する。データ処理部は、データ記録を実行したデータ記録面である第一面に第一面対応の管理情報をメイン管理情報として記録し、さらに、第一面と異なる第二面に、メイン管理情報と同一内容を有するミラー管理情報を記録する。管理情報は、例えばディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である。メイン管理情報、またはミラー管理情報、いずれかの管理情報の読み取りに成功すれば、データ記録再生を正しく実行することができる。
2016152413.tif 000002
【特許請求の範囲】
【請求項１】
ディスクに対する管理情報を記録するデータ処理部を有し、
前記データ処理部は、
データ記録を実行したデータ記録面である第一面に、第一面対応の管理情報をメイン管理情報として記録し、
さらに、データ記録を実行したデータ記録面である第一面と異なる第二面に、前記メイン管理情報と同一内容を有するミラー管理情報を記録する処理を実行する情報処理装置。
【請求項２】
前記管理情報は、ディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である請求項１に記載の情報処理装置。
【請求項３】
前記ＴＤＭＳは、構成データとして、
（ａ）ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）、
（ｂ）ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）、
（ｃ）ＴＤＦＬ（Ｔｅｍｐｏｒａｒｙ  Ｄｅｆｅｃｔ  Ｌｉｓｔ）、
上記各データを有する請求項２に記載の情報処理装置。
【請求項４】
前記データ処理部は、
前記ＴＤＭＳの構成データ間のリンク情報を含むＴＤＭＳを生成して記録する請求項３に記載の情報処理装置。
【請求項５】
前記データ処理部は、
一つのクラスタに、ディスク両面の２つのＴＤＭＳを記録する請求項１に記載の情報処理装置。
【請求項６】
前記データ処理部は、
一つのクラスタにディスク片面のＴＤＭＳを記録する請求項１に記載の情報処理装置。
【請求項７】
前記データ処理部は、
複数クラスタにディスク片面のＴＤＭＳを記録する請求項１に記載の情報処理装置。
【請求項８】
前記ディスクは、追記型光ディスクである請求項１に記載の情報処理装置。
【請求項９】
ディスクからのデータ再生処理を実行するデータ処理部を有し、
前記データ処理部は、
データ再生対象となるデータ記録面である第一面から、第一面対応の管理情報であるメイン管理情報の読み取り処理を実行し、
前記メイン管理情報の読み取りエラーが発生した場合、前記第一面と異なる第二面から、前記メイン管理情報と同一内容を有するミラー管理情報の読み取り処理を実行し、
前記メイン管理情報、または前記ミラー管理情報のいずれかの管理情報を参照して、前記第一面からのデータ再生処理を実行する情報処理装置。
【請求項１０】
前記管理情報は、ディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である請求項９に記載の情報処理装置。
【請求項１１】
前記ＴＤＭＳは、構成データとして、
（ａ）ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）、
（ｂ）ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）、
（ｃ）ＴＤＦＬ（Ｔｅｍｐｏｒａｒｙ  Ｄｅｆｅｃｔ  Ｌｉｓｔ）、
上記各データを有する請求項１０に記載の情報処理装置。
【請求項１２】
前記データ処理部は、
前記ＴＤＭＳの構成データ間のリンク情報を参照して、前記ＴＤＭＳの構成データの読み取りを実行する請求項１１に記載の情報処理装置。
【請求項１３】
前記ディスクは、追記型光ディスクである請求項９に記載の情報処理装置。
【請求項１４】
ユーザデータ、および管理情報を記録したディスク型の情報記録媒体であり、
前記管理情報は、ディスクの各面対応の個別の管理情報であり、
第一面対応の第一面管理情報がメイン管理情報として第一面に記録され、
該メイン管理情報と同一内容のミラー管理情報が、前記第一面と異なる第二面に記録された構成を有する情報記録媒体。
【請求項１５】
前記管理情報は、ディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である請求項１４に記載の情報記録媒体。
【請求項１６】
前記ＴＤＭＳは、構成データとして、
（ａ）ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）、
（ｂ）ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）、
（ｃ）ＴＤＦＬ（Ｔｅｍｐｏｒａｒｙ  Ｄｅｆｅｃｔ  Ｌｉｓｔ）、
上記各データを有する請求項１５に記載の情報記録媒体。
【請求項１７】
情報処理装置において、ディスクに対するデータ記録制御を実行する情報処理方法であり、
前記情報処理装置は、ディスクに対する管理情報を記録するデータ処理部を有し、
前記データ処理部は、
データ記録を実行したデータ記録面である第一面に、第一面対応の管理情報をメイン管理情報として記録し、
さらに、データ記録を実行したデータ記録面である第一面と異なる第二面に、前記メイン管理情報と同一内容を有するミラー管理情報を記録する処理を実行する情報処理方法。
【請求項１８】
情報処理装置において、ディスクからのデータ再生制御を実行する情報処理方法であり、
前記情報処理装置は、ディスクからのデータ再生処理を実行するデータ処理部を有し、
前記データ処理部は、
データ再生対象となるデータ記録面である第一面から、第一面対応の管理情報であるメイン管理情報の読み取り処理を実行し、
前記メイン管理情報の読み取りエラーが発生した場合、前記第一面と異なる第二面から、前記メイン管理情報と同一内容を有するミラー管理情報の読み取り処理を実行し、
前記メイン管理情報、または前記ミラー管理情報のいずれかの管理情報を参照して、前記第一面からのデータ再生処理を実行する情報処理方法。
【請求項１９】
情報処理装置において、ディスクに対するデータ記録制御を実行させるプログラムであり、
前記情報処理装置は、ディスクに対する管理情報を記録するデータ処理部を有し、
前記プログラムは、前記データ処理部に、
データ記録を実行したデータ記録面である第一面に、第一面対応の管理情報をメイン管理情報として記録する処理と、
データ記録を実行したデータ記録面である第一面と異なる第二面に、前記メイン管理情報と同一内容を有するミラー管理情報を記録する処理を実行させるプログラム。
【請求項２０】
情報処理装置において、ディスクからのデータ再生制御を実行させるプログラムであり、
前記情報処理装置は、ディスクからのデータ再生処理を実行するデータ処理部を有し、
前記プログラムは、前記データ処理部に、
データ再生対象となるデータ記録面である第一面から、第一面対応の管理情報であるメイン管理情報の読み取り処理と、
前記メイン管理情報の読み取りエラーが発生した場合、前記第一面と異なる第二面から、前記メイン管理情報と同一内容を有するミラー管理情報の読み取り処理を実行させ、
前記メイン管理情報、または前記ミラー管理情報のいずれかの管理情報を参照して、前記第一面からのデータ再生処理を実行させるプログラム。
【発明の詳細な説明】
【技術分野】
【０００１】
本開示は、情報処理装置、および情報処理方法、並びにプログラムに関する。さらに詳細には、両面記録ディスクにおける欠陥領域情報等の管理情報、具体的には例えばＴＤＭＳ（Ｔｅｍｐｏｒａｒｙ  Ｄｉｓｃ  Ｍａｎａｇｅｍｅｎｔ  Ｓｔｒｕｃｔｕｒｅ）等のディスク管理情報を、より確実に読み取ることを可能とする情報処理装置、情報記録媒体、および情報処理方法、並びにプログラムに関する。
【背景技術】
【０００２】
様々なデータを記録する記録媒体として、ＤＶＤ(Digital Versatile Disc)や、ＢＤ（Ｂｌｕ−ｒａｙ（登録商標）  Ｄｉｓｃ）等の光ディスクが多く利用されている。【０００３】
このような光ディスクには、表面にのみデータを記録した単一面ディスクの他、表面と裏面の双方にデータを記録した両面ディスクも多く利用されている。
また、例えばＢＤに対するデータ記録処理は、６４ＫＢのクラスタ単位で実行される。しかし、様々な要因によりデータ記録や読み取りができない欠陥クラスタが発生することがある。【０００４】
データ記録処理や、再生処理を行なう場合は、このような欠陥クラスタ領域をスキップして処理を行なうことが必要となる。欠陥クラスタに記録すべきデータは、その代替クラスタを利用する処理などが行われる。このようなクラスタスキップ処理や代替クラスタ利用処理を実行するには、欠陥クラスタ情報を取得することが必要となる。
この欠陥クラスタ情報を有する管理情報は、例えばディスクのインナーゾーンやアウウターゾーンに設定されるＴＤＭＡ（Ｔｅｍｐｏｒａｒｙ  Ｄｉｓｃ  Ｍａｎａｇｅｍｅｎｔ  Ａｒｅａ）に記録される。【０００５】
ＴＤＭＡには、例えば、ディスクに対する新たなデータ記録を行うごとに、最新の欠陥クラスタ情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）が随時、追加記録される。
データの追記処理や、再生処理を実行する際には、最新のＴＤＭＳを読み取り、欠陥クラスタ位置を判別して記録、または再生する処理が行われる。
なお、ＴＤＭＡやＴＤＭＳは、追記型光ディスク特有の管理データである。
ＴＤＭＡやＴＤＭＳについては、例えば特許文献１（特開２０１１−２３３２３０号公報）等に記載されている。【０００６】
しかし、これまで、ＴＤＭＡはディスクの面単位で設定して記録する構成が一般的であった。すなわち、両面ディスクの場合、ディスク表面に関する欠陥情報を表面のＴＤＭＡに記録し、ディスク裏面の欠陥情報は、ディスク裏面のＴＤＭＡに記録することになる。【０００７】
従って、例えばディスク表面のＴＤＭＡが何らかの原因で読み取り不能になった場合、表面の欠陥情報を得ることができず、新たなデータ記録や再生処理を正しく実行できなくなる可能性がある。
すなわち、従来、ＴＤＭＳは冗長記録されておらず単一障害点となっていた。
【先行技術文献】
【特許文献】
【０００８】
【特許文献１】特開２０１１−２３３２３０号公報
【発明の概要】
【発明が解決しようとする課題】
【０００９】
本開示は、例えば、上記問題点に鑑みてなされたものであり、両面記録ディスクにおける欠陥領域情報等の管理情報、具体的には例えばＴＤＭＳ（Ｔｅｍｐｏｒａｒｙ  Ｄｉｓｃ  Ｍａｎａｇｅｍｅｎｔ  Ｓｔｒｕｃｔｕｒｅ）等の管理情報を、より確実に読み取ることを可能とする情報処理装置、情報記録媒体、および情報処理方法、並びにプログラムを提供することを目的とする。
【課題を解決するための手段】
【００１０】
本開示の第１の側面は、
ディスクに対する管理情報を記録するデータ処理部を有し、
前記データ処理部は、
データ記録を実行したデータ記録面である第一面に、第一面対応の管理情報をメイン管理情報として記録し、
さらに、データ記録を実行したデータ記録面である第一面と異なる第二面に、前記メイン管理情報と同一内容を有するミラー管理情報を記録する処理を実行する情報処理装置にある。【００１１】
さらに、本開示の第２の側面は、
ディスクからのデータ再生処理を実行するデータ処理部を有し、
前記データ処理部は、
データ再生対象となるデータ記録面である第一面から、第一面対応の管理情報であるメイン管理情報の読み取り処理を実行し、
前記メイン管理情報の読み取りエラーが発生した場合、前記第一面と異なる第二面から、前記メイン管理情報と同一内容を有するミラー管理情報の読み取り処理を実行し、
前記メイン管理情報、または前記ミラー管理情報のいずれかの管理情報を参照して、前記第一面からのデータ再生処理を実行する情報処理装置にある。【００１２】
さらに、本開示の第３の側面は、
ユーザデータ、および管理情報を記録したディスク型の情報記録媒体であり、
前記管理情報は、ディスクの各面対応の個別の管理情報であり、
第一面対応の第一面管理情報がメイン管理情報として第一面に記録され、
該メイン管理情報と同一内容のミラー管理情報が、前記第一面と異なる第二面に記録された構成を有する情報記録媒体にある。【００１３】
さらに、本開示の第４の側面は、
情報処理装置において、ディスクに対するデータ記録制御を実行する情報処理方法であり、
前記情報処理装置は、ディスクに対する管理情報を記録するデータ処理部を有し、
前記データ処理部は、
データ記録を実行したデータ記録面である第一面に、第一面対応の管理情報をメイン管理情報として記録し、
さらに、データ記録を実行したデータ記録面である第一面と異なる第二面に、前記メイン管理情報と同一内容を有するミラー管理情報を記録する処理を実行する情報処理方法にある。【００１４】
さらに、本開示の第５の側面は、
情報処理装置において、ディスクからのデータ再生制御を実行する情報処理方法であり、
前記情報処理装置は、ディスクからのデータ再生処理を実行するデータ処理部を有し、
前記データ処理部は、
データ再生対象となるデータ記録面である第一面から、第一面対応の管理情報であるメイン管理情報の読み取り処理を実行し、
前記メイン管理情報の読み取りエラーが発生した場合、前記第一面と異なる第二面から、前記メイン管理情報と同一内容を有するミラー管理情報の読み取り処理を実行し、
前記メイン管理情報、または前記ミラー管理情報のいずれかの管理情報を参照して、前記第一面からのデータ再生処理を実行する情報処理方法にある。【００１５】
さらに、本開示の第６の側面は、
情報処理装置において、ディスクに対するデータ記録制御を実行させるプログラムであり、
前記情報処理装置は、ディスクに対する管理情報を記録するデータ処理部を有し、
前記プログラムは、前記データ処理部に、
データ記録を実行したデータ記録面である第一面に、第一面対応の管理情報をメイン管理情報として記録する処理と、
データ記録を実行したデータ記録面である第一面と異なる第二面に、前記メイン管理情報と同一内容を有するミラー管理情報を記録する処理を実行させるプログラムにある。【００１６】
さらに、本開示の第７の側面は、
情報処理装置において、ディスクからのデータ再生制御を実行させるプログラムであり、
前記情報処理装置は、ディスクからのデータ再生処理を実行するデータ処理部を有し、
前記プログラムは、前記データ処理部に、
データ再生対象となるデータ記録面である第一面から、第一面対応の管理情報であるメイン管理情報の読み取り処理と、
前記メイン管理情報の読み取りエラーが発生した場合、前記第一面と異なる第二面から、前記メイン管理情報と同一内容を有するミラー管理情報の読み取り処理を実行させ、
前記メイン管理情報、または前記ミラー管理情報のいずれかの管理情報を参照して、前記第一面からのデータ再生処理を実行させるプログラムにある。【００１７】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１８】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１９】
本開示の一実施例の構成によれば、ディスク管理情報の読み取りエラーによってデータ記録再生が実行できなくなる可能性を低減させた構成を実現する。
具体的には、ディスクに対するデータ記録再生を実行する情報処理装置のデータ処理部が、データ記録を実行したデータ記録面である第一面に第一面対応の管理情報をメイン管理情報として記録し、さらに、第一面と異なる第二面に、メイン管理情報と同一内容を有するミラー管理情報を記録する。管理情報は、例えばディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である。メイン管理情報、またはミラー管理情報、いずれかの管理情報の読み取りに成功すれば、データ記録再生を正しく実行することができる。
本構成により、ディスク管理情報の読み取りエラーによってデータ記録再生が実行できなくなる可能性を低減することが可能となる。
なお、本明細書に記載された効果はあくまで例示であって限定されるものではなく、また付加的な効果があってもよい。
【図面の簡単な説明】
【００２０】
【図１】光ディスクのデータ記録構成例について説明する図である。
【図２】両面ディスクに対する管理情報の記録例について説明する図である。
【図３】管理情報の読み取りエラーの発生による問題点について説明する図である。
【図４】管理情報の読み取りエラーの発生による問題点について説明する図である。
【図５】改善された管理情報の記録構成例について説明する図である。
【図６】改善された管理情報の記録構成例と利用例について説明する図である。
【図７】改善された管理情報の記録構成例と利用例について説明する図である。
【図８】改善された管理情報の記録構成例と利用例について説明する図である。
【図９】ＴＤＭＳの詳細構成例について説明する図である。
【図１０】ＴＤＭＳの詳細記録構成例とリンク例について説明する図である。
【図１１】ＴＤＭＳの詳細記録構成例とリンク例について説明する図である。
【図１２】ＴＤＭＳの詳細記録構成例とリンク例について説明する図である。
【図１３】情報処理装置の実行する処理シーケンスについて説明するフローチャートを示す図である。
【図１４】情報処理装置の実行する処理シーケンスについて説明するフローチャートを示す図である。
【図１５】情報処理装置のハードウェア構成例について説明する図である。
【発明を実施するための形態】
【００２１】
以下、図面を参照しながら本開示の情報処理装置、情報記録媒体、および情報処理方法、並びにプログラムの詳細について説明する。なお、説明は以下の項目に従って行なう。
１．光ディスクのデータ記録構成について
２．改善されたディスク管理情報の記録構成について
３．ＴＤＭＳの詳細構成と具体的な記録例について
３−（Ａ）．１クラスタに２つのＴＤＭＳを記録した構成
３−（Ｂ）．１クラスタに１つのＴＤＭＳを記録した構成
３−（Ｃ）．複数クラスタを利用して１つのＴＤＭＳを記録した構成
４．情報処理装置の実行する処理のシーケンスについて
５．情報処理装置の構成例について
６．本開示の構成のまとめ
【００２２】
［１．光ディスクのデータ記録構成例について］
まず、光ディスクのデータ記録構成例について説明する。
図１は、例えばＢＤ（Ｂｌｕ−ｒａｙ（登録商標）  Ｄｉｓｃ）等の光ディスク１０のデータ記録構成例を示す図である。
図１（ａ）には、光ディスクの内周〜外周に設定される各データ領域を示している。
内周端のインナーゾーンや、外周端のアウターゾーンは、ディスクの管理情報等の記録領域である。例えばＤＭＡ（Ｄｉｓｃ  Ｍａｎａｇｅｍｅｎｔ  Ａｒｅａ）の記録領域となる。
【００２３】
ＤＭＡ（Ｄｉｓｃ  Ｍａｎａｇｅｍｅｎｔ  Ａｒｅａ）は、ディスクのデータ記録を完了し、それ以後の追記処理を行なわないことを確定した時点で実行されるファイナライズ処理後に生成される最終的なディスク管理情報である。
【００２４】
ファイナライズ処理実行前、すなわち、ディスクに対するデータの追加記録が可能な時点では、一時的な管理情報記録領域であるＴＤＭＡ（Ｔｅｍｐｏｒａｒｙ  Ｄｉｓｃ  Ｍａｎａｇｅｍｅｎｔ  Ａｒｅａ）を利用して、一時的な管理情報としてのＴＤＭＳ（Ｔｅｍｐｏｒａｒｙ  Ｄｉｓｃ  Ｍａｎａｇｅｍｅｎｔ  Ｓｔｒｕｃｔｕｒｅ）を記録する。
【００２５】
ＴＤＭＡ（Ｔｅｍｐｏｒａｒｙ  Ｄｉｓｃ  Ｍａｎａｇｅｍｅｎｔ  Ａｒｅａ）は、図１に示すように、内周端のインナーゾーンや、外周端のアウターゾーン、ユーザデータ領域内の様々な位置に設定することができる。
図１（ｂ）に示すように、ＴＤＭＡには、データの一時的な管理情報としてのＴＤＭＳが、随時、追加記録される。例えば光ディスク１０に対する新たなデータ記録を行うごとに、新たなＴＤＭＳが、随時、追加記録される。
なお、前述したように、ＴＤＭＡやＴＤＭＳは、追記型光ディスク特有の管理データである。
【００２６】
ＴＤＭＳには、欠陥クラスタ情報等のディスク管理情報が記録される。
例えば欠陥クラスタの位置や、欠陥クラスタの代替クラスタ位置等の情報が記録される。
光ディスク１０を装着した情報処理装置が、データの追記処理や、再生処理を実行する際には、最新のＴＤＭＳを読み取り、ＴＤＭＳ内に記録された欠陥領域情報を参照することで、正しいデータ記録、または再生処理を行なうことができる。
【００２７】
しかし、これまで、ＴＤＭＳ記録領域であるＴＤＭＡはディスクの面単位で記録されるのが一般的であった。
すなわち、図２に示すように、ディスク表裏両面に記録層を有する両面ディスクの場合、ディスク表面（サイド０）に関する欠陥情報等を含む表面（サイド０）対応のＴＤＭＳは、ディスク表面（サイド０）のみに記録する。また、ディスク裏面（サイド１）の欠陥情報等を含む裏面（サイド１）対応のＴＤＭＳは、ディスク裏面（サイド１）のみに記録されていた。
【００２８】
従って、例えば、図３に示すように、ディスク表面のＴＤＭＳが何らかの原因で読み取り不能になった場合、表面の欠陥情報を得ることができず、ディスク表面に対する新たなデータ記録や再生処理を正しく実行できなくなる可能性がある。
【００２９】
同様に、図４に示すように、ディスク裏面のＴＤＭＳが何らかの原因で読み取り不能になった場合、裏面の欠陥情報を得ることができず、ディスク裏面に対する新たなデータ記録や再生処理を正しく実行できなくなる可能性がある。
すなわち、従来、ＴＤＭＳは冗長記録されておらず単一障害点となっていた。
【００３０】
［２．改善されたディスク管理情報の記録構成について］
次に、上述した問題点を解決するディスク管理情報の新たな記録構成について説明する。
図５に、本開示のディスク管理情報の記録構成の一実施例を示す。
図５には、ディスク表裏両面に記録層を有する両面ディスクにおけるディスク管理情報（ＴＤＭＳ）の記録構成例を示している。
【００３１】
図５に示すように、ディスク表面（サイド０）には、以下のＴＤＭＳが記録される。
（ａ１）サイド０ＴＤＭＳ（メイン）１０１、
（ａ２）サイド１ＴＤＭＳ（ミラー）１０４、
一方、ディスク裏面（サイド１）には、以下のＴＤＭＳが記録される。
（ｂ１）サイド１ＴＤＭＳ（メイン）１０２、
（ｂ２）サイド０ＴＤＭＳ（ミラー）１０３、
なお、前述したように、ＴＤＭＡやＴＤＭＳは、追記型光ディスク特有の管理データであり、以下に説明する本開示の構成は追記型光ディスクに対して適用される。
【００３２】
（ａ１）サイド０ＴＤＭＳ（メイン）１０１は、ディスク表面（サイド０）の欠陥領域情報を含むディスク表面（サイド０）対応のＴＤＭＳである。
この「（ａ１）サイド０ＴＤＭＳ（メイン）１０１」と同じデータを、ディスク裏面（サイド１）の「（ｂ２）サイド０ＴＤＭＳ（ミラー）１０３」として記録する。
すなわち、ディスク表面（サイド０）の欠陥領域情報を含むディスク表面（サイド０）対応のＴＤＭＳを、ディスクの表面と裏面に二重に記録する。
【００３３】
同様に、（ｂ１）サイド１ＴＤＭＳ（メイン）１０２は、ディスク裏面（サイド１）の欠陥領域情報を含むディスク裏面（サイド１）対応のＴＤＭＳである。
この「（ｂ１）サイド１ＴＤＭＳ（メイン）１０２」と同じデータを、ディスク表面（サイド０）の「（ａ２）サイド１ＴＤＭＳ（ミラー）１０４」として記録する。
すなわち、ディスク裏面（サイド１）の欠陥領域情報を含むディスク裏面（サイド１）対応のＴＤＭＳを、ディスクの表面と裏面に二重に記録する。
【００３４】
このように、ディスクの一方の面に対応するＴＤＭＳをディスクの表面と裏面に二重に記録することで、ＴＤＭＳの読み取りエラーに起因する記録再生エラーの発生可能性を著しく低減することができる。
【００３５】
例えば、情報処理装置が、ディスク表面（サイド０）に対するデータの追加記録、あるいは再生処理等を行う場合の例について図６を参照して説明する。
情報処理装置は、まず、ディスク表面（サイド０）に記録されたサイド０ＴＤＭＳ（メイン）１０１の読み取りを開始する。しかし、このサイド０ＴＤＭＳ（メイン）１０１が何らかの原因で読み取り不能になったものとする。
【００３６】
この場合、情報処理装置は、ディスク裏面（サイド１）に記録されたサイド０ＴＤＭＳ（ミラー）１０３を読み取る。このサイド０ＴＤＭＳ（ミラー）１０３は、ディスク表面（サイド０）に記録されたサイド０ＴＤＭＳ（メイン）１０１と同じデータを記録している。
すなわち、ディスク表面（サイド０）の欠陥領域情報を有するディスク表面（サイド０）対応のＴＤＭＳである。
情報処理装置は、ディスク裏面（サイド１）に記録されたサイド０ＴＤＭＳ（ミラー）１０３を参照して、ディスク表面（サイド０）の欠陥領域情報を取得し、ディスク表面（サイド０）の欠陥領域をスキップして新たなデータ記録、あるいはデータ再生処理を実行することが可能となる。
【００３７】
一方、情報処理装置が、ディスク裏面（サイド１）に対するデータの追加記録、あるいは再生処理等を行う場合の例について図７を参照して説明する。
情報処理装置は、まず、ディスク裏面（サイド１）に記録されたサイド１ＴＤＭＳ（メイン）１０２の読み取りを開始する。しかし、このサイド１ＴＤＭＳ（メイン）１０２が何らかの原因で読み取り不能になったものとする。
【００３８】
この場合、情報処理装置は、ディスク表面（サイド０）に記録されたサイド１ＴＤＭＳ（ミラー）１０４を読み取る。このサイド１ＴＤＭＳ（ミラー）１０４は、ディスク裏面（サイド１）に記録されたサイド１ＴＤＭＳ（メイン）１０２と同じデータを記録している。
すなわち、ディスク裏面（サイド１）の欠陥領域情報を有するディスク裏面（サイド１）対応のＴＤＭＳである。
情報処理装置は、ディスク表面（サイド０）に記録されたサイド１ＴＤＭＳ（ミラー）１０４を参照して、ディスク裏面（サイド１）の欠陥領域情報を取得し、ディスク裏面（サイド１）の欠陥領域をスキップして新たなデータ記録、あるいはデータ再生処理を実行することが可能となる。
【００３９】
なお、図５〜図７を参照して説明した例は、ディスク表面（サイド０）、ディスク裏面（サイド１）の両面に、それぞれ１層ずつのデータ記録層を持つ構成例であるが、ディスクの表裏各面に複数の記録層を持つディスクについても同様の構成とすることができる。
【００４０】
図８に示す例は、ディスク表面（サイド０）、ディスク裏面（サイド１）の両面に、それぞれ２層ずつのデータ記録層を持つディスク、すなわち４層のデータ記録層を持つディスクの構成例である。
ディスク表面（サイド０）には、
レイヤ０（サイド０＿Ｌ０）、
レイヤ１（サイド０＿Ｌ１）、
これら２つの記録層（レイヤ）が構成される。
【００４１】
一方、ディスク裏面（サイド１）には、
レイヤ２（サイド１＿Ｌ０）、
レイヤ３（サイド１＿Ｌ１）、
これら２つの記録層（レイヤ）が構成される。
合計で４つの記録層を有する。
【００４２】
このような多層型ディスクにおいて、欠陥領域情報を含むＴＤＭＳは、ディスク表面（サイド０）と、ディスク裏面（サイド１）に対応した管理情報として個別に生成される。
ディスク表面（サイド０）のＴＤＭＳには、ディスク表面（サイド０）側の２つの層、すなわち、
レイヤ０（サイド０＿Ｌ０）、
レイヤ１（サイド０＿Ｌ１）、
これら２つの記録層（レイヤ）に関する欠陥領域情報を含むＴＤＭＳとして生成される。
【００４３】
一方、ディスク裏面（サイド１）のＴＤＭＳには、ディスク裏面（サイド１）側の２つの層、すなわち、
レイヤ２（サイド１＿Ｌ０）、
レイヤ３（サイド１＿Ｌ１）、
これら２つの記録層（レイヤ）に関する欠陥領域情報を含むＴＤＭＳとして生成される。
【００４４】
本開示のＴＤＭＳ記録構成を適用すると、各ＴＤＭＳは図８に示すような設定で記録されることになる。
図８に示すように、ディスク表面（サイド０）には、以下のＴＤＭＳが記録される。
（ａ１）サイド０ＴＤＭＳ（メイン）１５１、
（ａ２）サイド１ＴＤＭＳ（ミラー）１５２、
一方、ディスク裏面（サイド１）には、以下のＴＤＭＳが記録される。
（ｂ１）サイド１ＴＤＭＳ（メイン）１７１、
（ｂ２）サイド０ＴＤＭＳ（ミラー）１７２、
【００４５】
（ａ１）サイド０ＴＤＭＳ（メイン）１５１は、ディスク表面（サイド０）の２つの層、すなわち、
レイヤ０（サイド０＿Ｌ０）、
レイヤ１（サイド０＿Ｌ１）、
これら２つの記録層（レイヤ）の欠陥領域情報を含むディスク表面（サイド０）対応のＴＤＭＳである。
この「（ａ１）サイド０ＴＤＭＳ（メイン）１５１」と同じデータを、ディスク裏面（サイド１）の「（ｂ２）サイド０ＴＤＭＳ（ミラー）１７２」として記録する。
すなわち、ディスク表面（サイド０）の欠陥領域情報を含むディスク表面（サイド０）対応のＴＤＭＳを、ディスクの表面と裏面に二重に記録する。
【００４６】
同様に、（ｂ１）サイド１ＴＤＭＳ（メイン）１７１は、ディスク裏面（サイド１）の２つの層、すなわち、
レイヤ２（サイド１＿Ｌ０）、
レイヤ３（サイド１＿Ｌ１）、
これら２つの記録層（レイヤ）の欠陥領域情報を含むディスク裏面（サイド１）対応のＴＤＭＳである。
【００４７】
この「（ｂ１）サイド１ＴＤＭＳ（メイン）１７１」と同じデータを、ディスク表面（サイド０）の「（ａ２）サイド１ＴＤＭＳ（ミラー）１５２」として記録する。
すなわち、ディスク裏面（サイド１）の欠陥領域情報を含むディスク裏面（サイド１）対応のＴＤＭＳを、ディスクの表面と裏面に二重に記録する。
【００４８】
このように、ディスクの一方の面に対応するＴＤＭＳをディスクの表面と裏面に二重に記録することで、ＴＤＭＳの読み取りエラーに起因する記録再生エラーの発生可能性を著しく低減することができる。
【００４９】
［３．ＴＤＭＳの詳細構成と具体的な記録例について］
次に、図９以下を参照してＴＤＭＳの詳細構成と具体的な記録例について説明する。
ＴＤＭＳは、図９に示すように、以下の３つの要素によって構成される。
（ａ）ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）２０１、
（ｂ）ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）２０２、
（ｃ）ＴＤＦＬ（Ｔｅｍｐｏｒａｒｙ  Ｄｅｆｅｃｔ  Ｌｉｓｔ）２０３、
ＴＤＭＳは、これら３つの要素によって構成される。
【００５０】
ＴＤＤＳ２０１には、主にＴＤＭＳの管理のための情報が記録される。
ＳＲＲＩ２０２は、ユーザデータ領域に記録されるユーザデータの連続記録範囲情報（ＳＲＲ：Ｓｅｑｕｅｎｔｉａｌ  Ｒｅｃｏｒｄｉｎｇ  Ｒａｎｇｅ）の管理情報である。
ＴＤＦＬ２０３には、欠陥クラスタ領域情報や代替クラスタ領域情報（ＤＯＷエントリ，ＤＦＬエントリ）等の情報が記録される。
【００５１】
情報処理装置は、ＴＤＭＳを参照する場合、まず、ＴＤＤＳを読み取り、このＴＤＤＳからＴＤＦＬおよびＳＲＲＩの記録位置としてのリンク情報を取り出して、ＴＤＦＬおよびＳＲＲＩの記録データを読み取る。
【００５２】
本開示の構成では、先に図５〜図８を参照して説明したように、ディスクの表面、裏面、双方にディスク表裏両面のＴＤＭＳを二重に記録する構成としている。
すなわち、ディスクの表面に、ディスクの表裏両面のＴＤＭＳを記録し、ディスク裏面にも、同様のディスクの表裏両面のＴＤＭＳを記録する。
【００５３】
具体的なＴＤＭＳの記録構成例について、図１０以下を参照して説明する。
以下の３つのＴＤＭＳ記録態様の各々について、順次、説明する。
（Ａ）１クラスタに２つのＴＤＭＳを記録した構成
（Ｂ）１クラスタに１つのＴＤＭＳを記録した構成
（Ｃ）複数クラスタを利用して１つのＴＤＭＳを記録した構成
【００５４】
［３−（Ａ）．１クラスタに２つのＴＤＭＳを記録した構成］
まず、図１０を参照して１クラスタに２つのＴＤＭＳを記録した構成例について説明する。
図１０には、ディスクに対するデータ記録単位である１つのクラスタ（６４ＫＢ）内に、ディスク表面（サイド０）のＴＤＭＳ（メイン）と、ディスク裏面（サイド１）のＴＤＭＳ（ミラー）を記録した例を示している。
なお、この例は、ディスク表面（サイド０）におけるＴＤＭＳ記録例である。
【００５５】
なお、１つのＴＤＭＳのデータ量は、ＴＤＭＳ内に記録する欠陥クラスタの数等によって大きく異なることになり、必ずしも図１０（ａ）に示すように、１つのクラスタ（６４ＫＢ）に２つのＴＤＭＳが記録できるとは限らない。
１つのクラスタにＴＤＭＳが記録できない場合の例については、図１１以下を参照して説明する。
【００５６】
図１０（ａ）は、１つのクラスタ（６４ＫＢ）にディスク表面（サイド０）のＴＤＭＳ（メイン）と、ディスク裏面（サイド１）のＴＤＭＳ（ミラー）を記録した例を示す図である。
【００５７】
図１０（ｂ）は、１つのクラスタ内に記録される２つのＴＤＭＳ構成データのリンク関係を示す図である。
Ｌ１１〜Ｌ１５は、各構成データ間のリンク関係を示している。
矢印の起点のデータ内に、矢印の終点のデータのアクセス情報（読み出し位置）としてのリンクデータが記録されていることを示す。具体的には、例えば、各構成データの先頭部のＰＳＮ（Ｐｈｉｓｉｃａｌ  Ｓｅｃｔｏｒ  Ｎｕｍｂｅｒ：物理セクタアドレス）が記録される。
【００５８】
２つのＴＤＭＳの記録されたクラスタ（６４ＫＢ）の読み出し処理に際し、まず、
クラスタ先頭部に記録されたデータ、すなわち、ディスク表面（サイド０）のサイド０ＴＤＭＳ（メイン）のＴＤＤＳ（サイド０）が読み出される。
【００５９】
このＴＤＤＳ（サイド０）には、以下のリンク情報が記録されている。
（１）リンク情報（Ｌ１１）：サイド０ＴＤＭＳ（メイン）のＳＲＲＩ（サイド０）のアクセス情報、
（２）リンク情報（Ｌ１２）：サイド０ＴＤＭＳ（メイン）のＴＤＦＬ（サイド０）のアクセス情報、
（３）リンク情報（Ｌ１３）：サイド１ＴＤＭＳ（ミラー）のＴＤＤＳ（サイド１）のアクセス情報、
【００６０】
情報処理装置は、クラスタ先頭部に記録されたデータ、すなわち、ディスク表面（サイド０）のサイド０ＴＤＭＳ（メイン）のＴＤＤＳ（サイド０）を読み出して、そのデータを参照することで、上記（１）〜（３）のデータアクセス先情報を得ることが可能となる。
【００６１】
例えば、ディスク裏面（サイド１）のＴＤＭＳ情報を読み取りたい場合は、情報処理装置は、クラスタ先頭部に記録されたデータ、すなわち、ディスク表面（サイド０）のサイド０ＴＤＭＳ（メイン）のＴＤＤＳ（サイド０）を読み出して、上記（３）のリンク情報を取得する。すなわち、
（３）リンク情報（Ｌ１３）：サイド１ＴＤＭＳ（ミラー）のＴＤＤＳ（サイド１）のアクセス情報、
このリンク情報を取得して、サイド１ＴＤＭＳ（ミラー）のＴＤＤＳ（サイド１）を読み出す、
【００６２】
サイド１ＴＤＭＳ（ミラー）のＴＤＤＳ（サイド１）には、以下のリンク情報が記録されている。
（４）リンク情報（Ｌ１４）：サイド１ＴＤＭＳ（ミラー）のＳＲＲＩ（サイド１）のアクセス情報、
（５）リンク情報（Ｌ１５）：サイド１ＴＤＭＳ（ミラー）のＴＤＦＬ（サイド１）のアクセス情報、
情報処理装置は、これらのリンク情報を用いて、ディスク裏面（サイド１）のＴＤＭＳ（ミラー）の全ての情報を得ることが可能となる。
【００６３】
［３−（Ｂ）．１クラスタに１つのＴＤＭＳを記録した構成］
次に、図１１を参照して１クラスタに１つのＴＤＭＳを記録した構成例について説明する。
図１１には、ディスクに対するデータ記録単位である１つのクラスタである第１クラスタ（６４ＫＢ）内に、ディスク表面（サイド０）のＴＤＭＳ（メイン）を記録し、別の第２クラスタ（６４ＫＢ）内に、ディスク裏面（サイド１）のＴＤＭＳ（ミラー）を記録した例を示している。
なお、この例は、ディスク表面（サイド０）におけるＴＤＭＳ記録例である。
【００６４】
図１１（ａ）には、２つのクラスタ（６４ＫＢ）として、第１クラスタと第２クラスタを示している。各クラスタにディスク表面（サイド０）のＴＤＭＳ（メイン）と、ディスク裏面（サイド１）のＴＤＭＳ（ミラー）を個別に記録している。
【００６５】
図１１（ｂ）は、２つのクラスタ内に記録される２つのＴＤＭＳ構成データのリンク関係を示す図である。
Ｌ１１〜Ｌ１５は、各構成データ間のリンク関係を示している。
矢印の起点のデータ内に、矢印の終点のデータのアクセス情報（読み出し位置）としてのリンクデータが記録されていることを示す。具体的には、例えば、各構成データの先頭部のＰＳＮ（Ｐｈｉｓｉｃａｌ  Ｓｅｃｔｏｒ  Ｎｕｍｂｅｒ：物理セクタアドレス）が記録される。
【００６６】
２つのＴＤＭＳが記録された２つの連続するクラスタ（６４ＫＢ）の読み出し処理に際し、まず、
ディスク表面（サイド０）のＴＤＭＳ（メイン）の記録された第１クラスタ先頭部からデータ読み出しを行う。すなわち、ディスク表面（サイド０）のサイド０ＴＤＭＳ（メイン）のＴＤＤＳ（サイド０）が読み出される。
【００６７】
このＴＤＤＳ（サイド０）には、以下のリンク情報が記録されている。
（１）リンク情報（Ｌ１１）：サイド０ＴＤＭＳ（メイン）のＳＲＲＩ（サイド０）のアクセス情報、
（２）リンク情報（Ｌ１２）：サイド０ＴＤＭＳ（メイン）のＴＤＦＬ（サイド０）のアクセス情報、
（３）リンク情報（Ｌ１３）：第２クラスタに記録されたサイド１ＴＤＭＳ（ミラー）のＴＤＤＳ（サイド１）のアクセス情報、
【００６８】
情報処理装置は、第１クラスタ先頭部に記録されたデータ、すなわち、ディスク表面（サイド０）のサイド０ＴＤＭＳ（メイン）のＴＤＤＳ（サイド０）を読み出して、そのデータを参照することで、上記（１）〜（３）のデータアクセス先情報を得ることが可能となる。
【００６９】
例えば、ディスク裏面（サイド１）のＴＤＭＳ情報を読み取りたい場合は、情報処理装置は、第１クラスタ先頭部に記録されたデータ、すなわち、ディスク表面（サイド０）のサイド０ＴＤＭＳ（メイン）のＴＤＤＳ（サイド０）を読み出して、上記（３）のリンク情報を取得する。すなわち、
（３）リンク情報（Ｌ１３）：第２クラスタに記録されたサイド１ＴＤＭＳ（ミラー）のＴＤＤＳ（サイド１）のアクセス情報、
このリンク情報を取得して、第２クラスタに記録されたサイド１ＴＤＭＳ（ミラー）のＴＤＤＳ（サイド１）を読み出す、
【００７０】
第２クラスタに記録されたサイド１ＴＤＭＳ（ミラー）のＴＤＤＳ（サイド１）には、以下のリンク情報が記録されている。
（４）リンク情報（Ｌ１４）：サイド１ＴＤＭＳ（ミラー）のＳＲＲＩ（サイド１）のアクセス情報、
（５）リンク情報（Ｌ１５）：サイド１ＴＤＭＳ（ミラー）のＴＤＦＬ（サイド１）のアクセス情報、
情報処理装置は、これらのリンク情報を用いて、ディスク裏面（サイド１）のＴＤＭＳ（ミラー）の全ての情報を得ることが可能となる。
【００７１】
［３−（Ｃ）．複数クラスタを利用して１つのＴＤＭＳを記録した構成］
次に、図１２を参照して複数クラスタを利用して１つのＴＤＭＳを記録した構成例について説明する。
図１２には、ディスクに対するデータ記録単位であるクラスタを２つ利用して１つのＴＤＭＳを記録した例を示している。
すなわち第１クラスタと第２クラスタに、ディスク表面（サイド０）のＴＤＭＳ（メイン）を記録し、さらに、第３クラスタと第４クラスタに、ディスク裏面（サイド１）のＴＤＭＳ（ミラー）を記録した例を示している。
なお、この例は、ディスク表面（サイド０）におけるＴＤＭＳ記録例である。
【００７２】
図１２（ａ）には、４つのクラスタ、すなわち第１クラスタ〜第４クラスタを示している。第１〜２クラスタにディスク表面（サイド０）のＴＤＭＳ（メイン）を記録し、第３〜４クラスタにディスク裏面（サイド１）のＴＤＭＳ（ミラー）を個別に記録している。
【００７３】
図１２（ｂ）は、４つのクラスタ内に記録される２つのＴＤＭＳ構成データのリンク関係を示す図である。
Ｌ１１〜Ｌ１５は、各構成データ間のリンク関係を示している。
矢印の起点のデータ内に、矢印の終点のデータのアクセス情報（読み出し位置）としてのリンクデータが記録されていることを示す。具体的には、例えば、各構成データの先頭部のＰＳＮ（Ｐｈｉｓｉｃａｌ  Ｓｅｃｔｏｒ  Ｎｕｍｂｅｒ：物理セクタアドレス）が記録される。
【００７４】
２つのＴＤＭＳが記録された４つの連続するクラスタ（６４ＫＢ）の読み出し処理に際し、まず、
ディスク表面（サイド０）のＴＤＭＳ（メイン）の記録された第１クラスタ先頭部からデータ読み出しを行う。すなわち、ディスク表面（サイド０）のサイド０ＴＤＭＳ（メイン）のＴＤＤＳ（サイド０）が読み出される。
【００７５】
このＴＤＤＳ（サイド０）には、以下のリンク情報が記録されている。
（１）リンク情報（Ｌ１１）：サイド０ＴＤＭＳ（メイン）のＳＲＲＩ（サイド０）のアクセス情報、
（２）リンク情報（Ｌ１２）：サイド０ＴＤＭＳ（メイン）のＴＤＦＬ（サイド０）のアクセス情報、
（３）リンク情報（Ｌ１３）：第３クラスタに記録されたサイド１ＴＤＭＳ（ミラー）のＴＤＤＳ（サイド１）のアクセス情報、
【００７６】
情報処理装置は、第１クラスタ先頭部に記録されたデータ、すなわち、ディスク表面（サイド０）のサイド０ＴＤＭＳ（メイン）のＴＤＤＳ（サイド０）を読み出して、そのデータを参照することで、上記（１）〜（３）のデータアクセス先情報を得ることが可能となる。
【００７７】
例えば、ディスク裏面（サイド１）のＴＤＭＳ情報を読み取りたい場合は、情報処理装置は、第１クラスタ先頭部に記録されたデータ、すなわち、ディスク表面（サイド０）のサイド０ＴＤＭＳ（メイン）のＴＤＤＳ（サイド０）を読み出して、上記（３）のリンク情報を取得する。すなわち、
（３）リンク情報（Ｌ１３）：第３クラスタに記録されたサイド１ＴＤＭＳ（ミラー）のＴＤＤＳ（サイド１）のアクセス情報、
このリンク情報を取得して、第３クラスタに記録されたサイド１ＴＤＭＳ（ミラー）のＴＤＤＳ（サイド１）を読み出す、
【００７８】
第３クラスタに記録されたサイド１ＴＤＭＳ（ミラー）のＴＤＤＳ（サイド１）には、以下のリンク情報が記録されている。
（４）リンク情報（Ｌ１４）：サイド１ＴＤＭＳ（ミラー）のＳＲＲＩ（サイド１）のアクセス情報、
（５）リンク情報（Ｌ１５）：サイド１ＴＤＭＳ（ミラー）のＴＤＦＬ（サイド１）のアクセス情報、
情報処理装置は、これらのリンク情報を用いて、ディスク裏面（サイド１）のＴＤＭＳ（ミラー）の全ての情報を得ることが可能となる。
【００７９】
［４．情報処理装置の実行する処理のシーケンスについて］
次に、図１３、図１４に示すフローチャートを参照して情報処理装置の実行する処理のシーケンスについて説明する。
【００８０】
まず、図１３に示すフローチャートを参照して、情報処理装置におけるディスクに対するデータ記録処理シーケンスについて説明する。
なお、図１３に示すフローに従った処理は、例えば、情報処理装置のプログラム実行機能を有するＣＰＵ等を備えたデータ処理部の制御の下で実行される。プログラムは、情報処理装置の記憶部に格納されている。
図１３に示すフローチャートの各ステップの処理について、順次、説明する。
【００８１】
（ステップＳ１０１）
まず、情報処理装置は、ステップＳ１０１において、ディスクの第一面にデータの記録処理を実行する。なお、第一面は、ディスク表面（サイド０）、またはディスク裏面（サイド１）のいずれか一方の面である。
【００８２】
（ステップＳ１０２）
次に、情報処理装置は、ステップＳ１０２において、ステップＳ１０１でデータ記録処理を実行した第一面に、第一面対応メインＴＤＭＳを記録する処理を行なう。すなわち、新たなデータ記録処理によって更新された情報を含む新たなＴＤＭＳを、ＴＤＭＡ領域に追加記録する。
【００８３】
（ステップＳ１０３）
次に、情報処理装置は、ステップＳ１０３において、ステップＳ１０２において第一面に記録した第一面対応メインＴＤＭＳと同一内容を有する第一面対応ミラーＴＤＭＳを、第一面と異なる第二面に記録する処理を行なう。
このようにして、第一面、第二面に同じＴＤＭＳが二重に記録される。
【００８４】
次に、図１４に示すフローチャートを参照して、情報処理装置におけるディスクにからのデータ再生処理シーケンスについて説明する。
なお、図１４に示すフローに従った処理は、例えば、情報処理装置のプログラム実行機能を有するＣＰＵ等を備えたデータ処理部の制御の下で実行される。プログラムは、情報処理装置の記憶部に格納されている。
図１４に示すフローチャートの各ステップの処理について、順次、説明する。
【００８５】
（ステップＳ２０１）
まず、情報処理装置は、ステップＳ２０１において、データ再生対象の第一面から、
第一面対応メインＴＤＭＳを読み出す。なお、第一面は、ディスク表面（サイド０）、またはディスク裏面（サイド１）のいずれか一方の面である。
【００８６】
（ステップＳ２０２）
次に、情報処理装置は、ステップＳ２０２において、ステップＳ２０１の第一面対応メインＴＤＭＳを読み出し処理が成功したか否かを判定する。
成功した場合は、ステップＳ２０４に進む。
失敗した場合は、ステップＳ２０３に進む。
【００８７】
（ステップＳ２０３）
ステップＳ２０２において、第一面対応メインＴＤＭＳ読み出し処理の失敗が確認された場合、情報処理装置は、ステップＳ２０３の処理を実行する。
ステップＳ２０３では、データ再生対象の第一面異なる第二面から、第一面対応メインＴＤＭＳと同一内容を有する第一面対応ミラーＴＤＭＳを読み取る。
【００８８】
（ステップＳ２０４）
ステップＳ２０４において、情報処理装置は、読み出した第一面対応ＴＤＭＳの
記録情報を参照して、第一面からのデータ再生処理を開始する。
なお、情報処理装置の利用する第一面対応ＴＤＭＳとは、
ステップＳ２０１において、第一面から読み出した第一面対応メインＴＤＭＳ、あるいは、ステップＳ２０３において第二面から読み出した第一面対応ミラーＴＤＭＳのいずれかのＴＤＭＳである。
【００８９】
いずれのＴＤＭＳも、再生対象となる第一面対応の最新のＴＤＭＳであり、情報処理装置は、これらいずれかのＴＤＭＳを参照することで、欠陥クラスタやその代替クラスタ位置を正しく認識することが可能となり、エラーのない正しい再生処理を行なうことができる。
【００９０】
［５．情報処理装置の構成例について］
次に、上述した各実施例を実行する情報処理装置の構成例について、図１５を参照して説明する。
【００９１】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２、または記憶部３０８に記憶されているプログラムに従って各種の処理を実行するデータ処理部として機能する。例えば、上述した実施例において説明した処理を実行する。ＲＡＭ（Ｒａｎｄｏｍ  Ａｃｃｅｓｓ  Ｍｅｍｏｒｙ）３０３には、ＣＰＵ３０１が実行するプログラムやデータなどが記憶される。これらのＣＰＵ３０１、ＲＯＭ３０２、およびＲＡＭ３０３は、バス３０４により相互に接続されている。
【００９２】
ＣＰＵ３０１はバス３０４を介して入出力インタフェース３０５に接続され、入出力インタフェース３０５には、各種スイッチ、キーボード、マウス、マイクロホンなどよりなる入力部３０６、ディスプレイ、スピーカなどよりなる出力部３０７が接続されている。ＣＰＵ３０１は、入力部３０６から入力される指令に対応して各種の処理を実行し、処理結果を例えば出力部３０７に出力する。
【００９３】
入出力インタフェース３０５に接続されている記憶部３０８は、例えばハードディスク等からなり、ＣＰＵ３０１が実行するプログラムや各種のデータを記憶する。通信部３０９は、インターネットやローカルエリアネットワークなどのネットワークを介したデータ通信の送受信部、さらに放送波等の送受信部として機能し、外部の装置と通信する。
【００９４】
入出力インタフェース３０５に接続されているドライブ３１０は、上述した実施例に従ってデータ記録がなされるディスクなどの記録メディア３１１を駆動し、データの記録あるいは読み取りを実行する。
【００９５】
［６．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【００９６】
なお、本明細書において開示した技術は、以下のような構成をとることができる。
（１）  ディスクに対する管理情報を記録するデータ処理部を有し、
前記データ処理部は、
データ記録を実行したデータ記録面である第一面に、第一面対応の管理情報をメイン管理情報として記録し、
さらに、データ記録を実行したデータ記録面である第一面と異なる第二面に、前記メイン管理情報と同一内容を有するミラー管理情報を記録する処理を実行する情報処理装置。
【００９７】
（２）  前記管理情報は、ディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である（１）に記載の情報処理装置。
【００９８】
（３）  前記ＴＤＭＳは、構成データとして、
（ａ）ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）、
（ｂ）ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）、
（ｃ）ＴＤＦＬ（Ｔｅｍｐｏｒａｒｙ  Ｄｅｆｅｃｔ  Ｌｉｓｔ）、
上記各データを有する（２）に記載の情報処理装置。
【００９９】
（４）  前記データ処理部は、
前記ＴＤＭＳの構成データ間のリンク情報を含むＴＤＭＳを生成して記録する（３）に記載の情報処理装置。
【０１００】
（５）  前記データ処理部は、
一つのクラスタに、ディスク両面の２つのＴＤＭＳを記録する（１）〜（４）いずれかに記載の情報処理装置。
【０１０１】
（６）  前記データ処理部は、
一つのクラスタにディスク片面のＴＤＭＳを記録する（１）〜（４）いずれかに記載の情報処理装置。
【０１０２】
（７）  前記データ処理部は、
複数クラスタにディスク片面のＴＤＭＳを記録する（１）〜（４）いずれかに記載の情報処理装置。
【０１０３】
（８）前記ディスクは、追記型光ディスクである（１）〜（７）いずれかに記載の情報処理装置。
【０１０４】
（９）  ディスクからのデータ再生処理を実行するデータ処理部を有し、
前記データ処理部は、
データ再生対象となるデータ記録面である第一面から、第一面対応の管理情報であるメイン管理情報の読み取り処理を実行し、
前記メイン管理情報の読み取りエラーが発生した場合、前記第一面と異なる第二面から、前記メイン管理情報と同一内容を有するミラー管理情報の読み取り処理を実行し、
前記メイン管理情報、または前記ミラー管理情報のいずれかの管理情報を参照して、前記第一面からのデータ再生処理を実行する情報処理装置。
【０１０５】
（１０）  前記管理情報は、ディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である（９）に記載の情報処理装置。
【０１０６】
（１１）  前記ＴＤＭＳは、構成データとして、
（ａ）ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）、
（ｂ）ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）、
（ｃ）ＴＤＦＬ（Ｔｅｍｐｏｒａｒｙ  Ｄｅｆｅｃｔ  Ｌｉｓｔ）、
上記各データを有する（１０）に記載の情報処理装置。
【０１０７】
（１２）  前記データ処理部は、
前記ＴＤＭＳの構成データ間のリンク情報を参照して、前記ＴＤＭＳの構成データの読み取りを実行する（１１）に記載の情報処理装置。
【０１０８】
（１３）  前記ディスクは、追記型光ディスクである（９）〜（１２）いずれかに記載の情報処理装置。
【０１０９】
（１４）  ユーザデータ、および管理情報を記録したディスク型の情報記録媒体であり、
前記管理情報は、ディスクの各面対応の個別の管理情報であり、
第一面対応の第一面管理情報がメイン管理情報として第一面に記録され、
該メイン管理情報と同一内容のミラー管理情報が、前記第一面と異なる第二面に記録された構成を有する情報記録媒体。
【０１１０】
（１５）  前記管理情報は、ディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である（１４）に記載の情報記録媒体。
【０１１１】
（１６）  前記ＴＤＭＳは、構成データとして、
（ａ）ＴＤＤＳ（Ｔｅｍｐｏｒａｒｙ  Ｄｉｓｃ  Ｄｅｆｉｎｉｔｉｏｎ  Ｓｔｒｕｃｔｕｒｅ）、
（ｂ）ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）、
（ｃ）ＴＤＦＬ（Ｔｅｍｐｏｒａｒｙ  Ｄｅｆｅｃｔ  Ｌｉｓｔ）、
上記各データを有する（１５）に記載の情報記録媒体。
【０１１２】
（１７）  情報処理装置において、ディスクに対するデータ記録制御を実行する情報処理方法であり、
前記情報処理装置は、ディスクに対する管理情報を記録するデータ処理部を有し、
前記データ処理部は、
データ記録を実行したデータ記録面である第一面に、第一面対応の管理情報をメイン管理情報として記録し、
さらに、データ記録を実行したデータ記録面である第一面と異なる第二面に、前記メイン管理情報と同一内容を有するミラー管理情報を記録する処理を実行する情報処理方法。
【０１１３】
（１８）  情報処理装置において、ディスクからのデータ再生制御を実行する情報処理方法であり、
前記情報処理装置は、ディスクからのデータ再生処理を実行するデータ処理部を有し、
前記データ処理部は、
データ再生対象となるデータ記録面である第一面から、第一面対応の管理情報であるメイン管理情報の読み取り処理を実行し、
前記メイン管理情報の読み取りエラーが発生した場合、前記第一面と異なる第二面から、前記メイン管理情報と同一内容を有するミラー管理情報の読み取り処理を実行し、
前記メイン管理情報、または前記ミラー管理情報のいずれかの管理情報を参照して、前記第一面からのデータ再生処理を実行する情報処理方法。
【０１１４】
（１９）  情報処理装置において、ディスクに対するデータ記録制御を実行させるプログラムであり、
前記情報処理装置は、ディスクに対する管理情報を記録するデータ処理部を有し、
前記プログラムは、前記データ処理部に、
データ記録を実行したデータ記録面である第一面に、第一面対応の管理情報をメイン管理情報として記録する処理と、
データ記録を実行したデータ記録面である第一面と異なる第二面に、前記メイン管理情報と同一内容を有するミラー管理情報を記録する処理を実行させるプログラム。
【０１１５】
（２０）  情報処理装置において、ディスクからのデータ再生制御を実行させるプログラムであり、
前記情報処理装置は、ディスクからのデータ再生処理を実行するデータ処理部を有し、
前記プログラムは、前記データ処理部に、
データ再生対象となるデータ記録面である第一面から、第一面対応の管理情報であるメイン管理情報の読み取り処理と、
前記メイン管理情報の読み取りエラーが発生した場合、前記第一面と異なる第二面から、前記メイン管理情報と同一内容を有するミラー管理情報の読み取り処理を実行させ、
前記メイン管理情報、または前記ミラー管理情報のいずれかの管理情報を参照して、前記第一面からのデータ再生処理を実行させるプログラム。
【０１１６】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  ｒｅａ  Ｎｅｔｗｏｒｋ）、インターネットといったネットワークを介してプログラムを受信し、内蔵するハードディスク等の記録媒体にインストールすることができる。
【０１１７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１１８】
以上、説明したように、本開示の一実施例の構成によれば、ディスク管理情報の読み取りエラーによってデータ記録再生が実行できなくなる可能性を低減させた構成を実現する。
具体的には、ディスクに対するデータ記録再生を実行する情報処理装置のデータ処理部が、データ記録を実行したデータ記録面である第一面に第一面対応の管理情報をメイン管理情報として記録し、さらに、第一面と異なる第二面に、メイン管理情報と同一内容を有するミラー管理情報を記録する。管理情報は、例えばディスクの一方の面の欠陥領域情報を含むＴＤＭＳ（Ｔｅｍｐｏｒａｒｙ  Ｄｉｓｃ  Ｍａｎａｇｅｍｅｎｔ  Ｓｔｒｕｃｔｕｒｅ）である。メイン管理情報、またはミラー管理情報、いずれかの管理情報の読み取りに成功すれば、データ記録再生を正しく実行することができる。
本構成により、ディスク管理情報の読み取りエラーによってデータ記録再生が実行できなくなる可能性を低減することが可能となる。
【符号の説明】
【０１１９】
１０  光ディスク
２１  サイド０ＴＤＭＳ
２２  サイド１ＴＤＭＳ
１０１  サイド０ＴＤＭＳ（メイン）
１０２  サイド１ＴＤＭＳ（メイン）
１０３  サイド０ＴＤＭＳ（ミラー）
１０４  サイド１ＴＤＭＳ（ミラー）
１５１  サイド０ＴＤＭＳ（メイン）
１５２  サイド１ＴＤＭＳ（ミラー）
１７１  サイド１ＴＤＭＳ（メイン）
１７２  サイド０ＴＤＭＳ（ミラー）
２００  ＴＤＭＳ
２０１  ＴＤＤＳ
２０２  ＳＲＲＩ
２０３  ＴＤＦＬ
３０１  ＣＰＵ
３０２  ＲＯＭ
３０３  ＲＡＭ
３０４  バス
３０５  入出力インタフェース
３０６  入力部
３０７  出力部
３０８  記憶部
３０９  通信部
３１０  ドライブ
３１１  記録メディア
【図１】
2016152413.tif 000003
【図２】
2016152413.tif 000004
【図３】
2016152413.tif 000005
【図４】
2016152413.tif 000006
【図５】
2016152413.tif 000007
【図６】
2016152413.tif 000008
【図７】
2016152413.tif 000009
【図８】
2016152413.tif 000010
【図９】
2016152413.tif 000011
【図１０】
2016152413.tif 000012
【図１１】
2016152413.tif 000013
【図１２】
2016152413.tif 000014
【図１３】
2016152413.tif 000015
【図１４】
2016152413.tif 000016
【図１５】
2016152413.tif 000017
【国際調査報告】
2016152413.tif 000018
2016152413.tif 000019
2016152413.tif 000020
2016152413.tif 000021